(57)【要約】【課題】貯金システム、方法およびプログラムを提供する。【解決手段】本発明の一態様である、貯金システムは、第１のユーザおよび第２のユーザのそれぞれに対してユーザ認証を行い、第１のユーザの口座から第２のユーザの口座に対して資金移動を行い、第２のユーザの口座残高を取得し、近距離無線通信を介して、第２のユーザの口座残高を貯金箱に送信する、ユーザデバイスと、第２のユーザの口座残高を表示する、貯金箱と、を備える。【選択図】図１
2019175370.tif 000002
【特許請求の範囲】
【請求項１】
第１のユーザおよび第２のユーザのそれぞれに対してユーザ認証を行い、
前記第１のユーザの口座から前記第２のユーザの口座に対して資金移動を行い、
前記第２のユーザの口座残高を取得し、
近距離無線通信を介して、前記第２のユーザの前記口座残高を貯金箱に送信する、
ユーザデバイスと、
前記第２のユーザの前記口座残高を表示する、前記貯金箱と、
を備えた、システム。
【請求項２】
前記貯金箱はさらに、前記第１のユーザの前記ユーザデバイスが異なることに応じて、表示内容を変更する、請求項１に記載のシステム。
【請求項３】
ユーザデバイスによって実施される方法であって、
第１のユーザおよび第２のユーザのそれぞれに対してユーザ認証を行うことと、
前記第１のユーザの口座から前記第２のユーザの口座に対して資金移動を行うことと、
前記第２のユーザの口座残高を取得することと、
近距離無線通信を介して、前記第２のユーザの前記口座残高を貯金箱に送信することと、
を含む、方法。
【請求項４】
前記資金移動はフリック操作によって行われる、請求項３に記載の方法。
【請求項５】
前記第２のユーザの前記口座は取引が制限される、請求項３または４に記載の方法。
【請求項６】
コンピュータに、請求項３乃至５のいずれかに記載の方法を実行させるためのプログラム。
【発明の詳細な説明】
【技術分野】
【０００１】
本発明は、貯金システム、方法およびプログラムに関する。
【背景技術】
【０００２】
従来から子供は、親等から受け取ったお小遣いを貯金箱に入れて貯金を学ぶことができた。貯金箱は、低年齢の子供が貯金を体験し、容易に理解できる点で有用である。
【０００３】
一方で、決済のキャッシュレス化が進むにつれて、データ化されたお金を使用する機会が増加している。従来の貯金箱は現金のみに対応しているため、子供はデータ化されたお金を使用して貯金を学ぶことができない。
【先行技術文献】
【特許文献】
【０００４】
【特許文献１】特開２００９−１４６０６９号公報
【発明の概要】
【発明が解決しようとする課題】
【０００５】
特許文献１に記載された発明は、情報処理装置と電子貯金装置との間で電子バリューの送受信が行われ、電子貯金装置を電子バリューの貯金箱として用いる技術が提案されている。しかしながら、特許文献１に記載された発明は、情報処理装置と電子貯金装置のユーザが同一であるため、低年齢の子供が情報処理装置を操作して自己資金を移動させること、および理解することは困難である。したがって、特許文献１に記載された発明は、低年齢の子供が貯金箱として利用することができない。
【０００６】
以上のことから、データ化されたお金を使用し、かつ低年齢の子供であっても容易に理解できる貯金箱が望まれる。
【０００７】
本発明はこのような課題に対し、貯金システム、方法およびプログラムを提供することを目的とする。より詳細には、低年齢の子供がデータ化された資金の移動を容易に理解することができる貯金システム、方法およびプログラムを提供することを目的とする。
【課題を解決するための手段】
【０００８】
本発明の一態様である、貯金システムは、第１のユーザおよび第２のユーザのそれぞれに対してユーザ認証を行い、第１のユーザの口座から第２のユーザの口座に対して資金移動を行い、第２のユーザの口座残高を取得し、近距離無線通信を介して、第２のユーザの口座残高を貯金箱に送信する、ユーザデバイスと、第２のユーザの口座残高を表示する、貯金箱と、を備える。
【発明の効果】
【０００９】
本発明によれば、家族は子供とのコミュニケーションを介して、データ化されたお金を使用してお小遣いを子供に与えることができる。また、低年齢の子供がデータ化された資金の移動を容易に理解することができる。さらに、家族は少額の現金を持ち合わせていない場合であっても、子供にお小遣いを与えることができる。
【図面の簡単な説明】
【００１０】
【図１】本発明に係る貯金システムの構成を例示する図である。
【図２】本発明に係るユーザデバイスの構成を例示する図である。
【図３】本発明に係る貯金箱の構成を例示する図である。
【図４】本発明に係るお小遣いによる資金移動画面を例示する図である。
【図５】本発明に係るお小遣いによる資金移動処理フローを例示する図である。
【発明を実施するための形態】
【００１１】
以下、図面を参照しながら本発明の実施形態について詳細に説明する。複数の図面において同一の符号は同一の要素を表し、重複した説明は省略する。なお、本明細書で説明する実施形態では、お小遣いを与える者を子供の親として説明するが、親以外の者が子供にお小遣いを与える際であっても本発明の要旨は実施可能である。
【００１２】
図１は、本発明に係る貯金システムの構成を例示する図である。図１は概略的に、ユーザデバイス１００、貯金箱１１０、銀行システム１２０およびネットワーク１３０が例示される。ユーザデバイス１００は、ネットワーク１３０を介して銀行システム１２０と接続される。
【００１３】
ユーザデバイス１００は、子供にお小遣いを与えるためのアプリケーションがインストールされたデバイスであり、例えば、親が所有するスマートフォン、タブレット等とすることができる。ユーザデバイス１００はまた、貯金箱１１０と近距離無線通信を行うことができる。近距離無線通信は、例えば、Ｂｌｕｅｔｏｏｔｈ（登録商標）  ｌｏｗ  ｅｎｅｒｇｙ（ＢＬＥ）とすることができるが、他の任意の無線アクセス技術としてもよい。
【００１４】
ユーザデバイス１００は、銀行システム１２０に対し、ログイン要求、親の口座から子供の口座への振込指示、子供の口座の残高照会指示のほか、各種取引の指示を行うことができる。ユーザデバイス１００はまた、子供の口座残高およびその他の情報を貯金箱１１０に送信することができる。その他の情報は、お小遣いを与える親のＩＤ（あるいは、親の名前）、お小遣いの額、子供の名前等を含んでもよい。
【００１５】
貯金箱１１０は、ユーザデバイス１００と近距離無線通信を行うことができる貯金箱である。貯金箱１１０はまた、ユーザデバイス１００から受信した子供の口座残高およびその他の情報の表示機能を備える。貯金箱１１０はまた、音声の出力機能を備えてもよい。
【００１６】
銀行システム１２０は、親の口座および子供の口座が開設されている金融機関のシステムである。銀行システム１２０は、ユーザデバイス１００から受信した指示に基づいて、振込、口座残高照会等の各種取引を行うことができる。銀行システム１２０の機能は、インターネットバンキングとして広く利用されているため説明を省略する。
【００１７】
ネットワーク１３０は、ユーザデバイス１００と銀行システム１２０との間で相互通信可能な周知のネットワークとすることができ、特に限定されることはない。
【００１８】
図２は、本発明に係るユーザデバイス１００の構成を例示する図である。図２に例示するように、制御部１０１、主記憶部１０２、補助記憶部１０３、操作部１０４、ＩＦ部１０５、および表示部１０６がバス１０７等によって接続される。
【００１９】
制御部１０１は、中央処理装置（ＣＰＵ）であり、ユーザデバイス１００の各構成要素の制御やデータの演算を行うことができる。主記憶部１０２は、メインメモリであり、入力された各種データ、コンピュータ実行可能な命令および当該命令による演算処理後のデータ等を記憶することができる。補助記憶部１０３は、ハードディスク（ＨＤＤ）等の記憶装置であり、データやプログラムを長期的に保存する際に使用される。制御部１０１は、補助記憶部１０３に格納されているプログラムを主記憶部１０２に読み出して実行することができる。
【００２０】
操作部１０４は、タッチパネル等により構成され、アプリケーションの各種操作や入力データを受け付けることができる。ＩＦ部１０５は、他のシステムまたは装置との間でデータを送受信する際のインタフェースであり、例えばネットワーク１３０を介して、銀行システム１２０に振込処理の指示等ができる。ＩＦ部１０５はまた、貯金箱１１０と近距離無線通信機能を確立し、データの送受信等を行うことができる。表示部１０６は、ディスプレイ等により構成され、アプリケーションの各種画面等を提供することができる。
【００２１】
図３は、本発明に係る貯金箱１１０の構成を例示する図である。貯金箱１１０は、概略的に、近距離無線通信部１１１、表示部１１２、記憶部１１３、および音声出力部１１４を備える。
【００２２】
近距離無線通信部１１１は、ユーザデバイス１００と近距離無線通信を確立し、ユーザデバイス１００との間で各種情報を送受信するインタフェースである。ユーザデバイス１００から受信する情報は、例えば子供の口座残高が含まれる。
【００２３】
表示部１１２は、ディスプレイ等で構成され、ユーザデバイス１００から受信した口座残高およびその他の情報を表示することができる。表示部１１２は、与えられたお小遣いの金額、子供の名前等の情報を表示してもよい。表示部１１２は、ユーザデバイス１００のお小遣いによる資金移動処理に合わせて、硬貨・紙幣が投入されるアニメーション等を表示してもよい。口座残高は常に表示されてもよく、最新の口座残高の表示から一定時間のみ表示されてもよく、またはユーザデバイス１００が貯金箱１１０と近距離無線通信を確立している間のみ表示されてもよい。
【００２４】
記憶部１１３は、ユーザデバイス１００から受信した子供の口座残高を格納し、保持することができる。子供の口座残高のほか、子供の名前等の情報を保持してもよい。子供の名前等の情報は、ユーザデバイス１００から追加、変更および削除可能なように構成されてもよい。
【００２５】
音声出力部１１４は任意的に構成され、ユーザデバイス１００と近距離無線通信を確立したこと、口座残高を受信したこと等に応答して、パターン化された音声を出力することができる。音声パターンは、ユーザデバイス１００から追加、変更および削除可能なように構成されてもよい。
【００２６】
図４は、本発明に係るお小遣いによる資金移動画面を例示する図である。図４において、指のマークおよび画面を繋ぐ点線は、指がユーザデバイス１００の画面に触れていることを示し、指のマークに近接する矢印は指の動きを示す。図４（ａ）は、親がユーザデバイス１００の画面を左右にスワイプ操作することによって、お小遣いで与える硬貨・紙幣のイメージを選択することができることを示す。
【００２７】
図４（ｂ）は、親が硬貨のイメージをフリック操作することによって資金移動処理を行うことができることを示す。フリック操作は、例えば、表示された１００円玉硬貨のイメージに触れたまま、ユーザデバイス１００の画面上部にスライドさせることにより行うことができる。フリック操作は、指またはタッチペン等の動きに連動して硬貨が移動するアニメーションとしてもよい。資金移動処理は、ユーザデバイス１００が銀行システム１２０に対して振込指示を行い、親の口座から子供の口座に対する振込が行われることにより、実際に口座間の資金移動が行われる。
【００２８】
図４（ｃ）に示すように、資金移動処理の完了メッセージが表示されてもよく、更新された子供の口座の残高が表示されてもよい。
【００２９】
図４（ａ）〜（ｃ）に例示された画面のほか、複数の種類の硬貨が一覧表示または上下表示されてもよく、ユーザデバイス１００をタップして硬貨を選択するようにしてもよい。硬貨を選択する画面の前に、親が金額を入力する画面を表示させて、硬貨を選択する画面では入力された金額に従って硬貨を表示してもよい。例えば、お小遣いの金額が５００円と入力された場合、お小遣いによる資金移動画面では５００円玉硬貨のみ、または初期選択状態で５００円玉硬貨が表示されるようにしてもよい。
【００３０】
図５は、本発明に係るお小遣いによる資金移動処理フローを例示する図である。以下、ユーザデバイス１００を使用して、親が子供に対してお小遣いを与える場面について説明する。ユーザデバイス１００と貯金箱１１０とは、近距離無線通信が可能な範囲に位置し、かつ両者間には電波を遮る物質等がないものとする。
【００３１】
ステップＳ５０１において、親は、ユーザデバイス１００にインストールされた貯金アプリケーションを起動する。
【００３２】
ステップＳ５０２において、ユーザデバイス１００は、近距離無線通信が可能な機器をスキャンする。スキャンは、例えば、ＢＬＥのアクティブスキャンまたはパッシブスキャン等とすることができる。スキャンは、ステップＳ５０１のアプリケーション起動時のバックグラウンドで行ってもよく、スキャン中を示す画面を表示して行ってもよい。
【００３３】
ステップＳ５０３において、ユーザデバイス１００は、近距離無線通信が可能な機器を発見できるかどうかをチェックする。この例においては、ユーザデバイス１００と近距離無線通信が可能な距離にある貯金箱１１０を検出することができる。一方、近距離無線通信が可能な機器を発見できなかった場合（ステップＳ５０３がＮＯの場合）、ステップＳ５０２に戻る。
【００３４】
ステップＳ５０４において（ステップＳ５０３がＹＥＳの場合）、ユーザデバイス１００は、貯金箱１１０と近距離無線通信の接続を行う。正常に接続できなかった場合（ステップＳ５０４がＮＯの場合）、ステップＳ５０２に戻る。
【００３５】
ステップＳ５０５において（ステップＳ５０４がＹＥＳの場合）、ユーザデバイス１００は、親または子の口座情報が未登録であるかどうかをチェックする。チェックは、ユーザデバイス１００に親または子の口座情報が保存されているかどうかにより行われる。口座情報が登録済みであればステップＳ５０５がＮＯの場合となり、ステップＳ５０８に進む。
【００３６】
ステップＳ５０６において（ステップＳ５０５がＹＥＳの場合）、親はユーザデバイス１００を使用して、親の口座情報を登録する。親の口座情報は、子供の口座に対して振込を行うための金融機関の支店および口座番号、またはインターネットバンキングのログインＩＤ等の情報とすることができる。登録された親の口座情報は、ユーザデバイス１００に保存される。親の口座情報が完了すると、子供にユーザデバイス１００を手渡すように指示する画面を表示してもよい。
【００３７】
ステップＳ５０７において、子供はユーザデバイス１００を使用して、子供の口座情報を登録する。子供の口座情報は、金融機関の支店および口座番号、またはインターネットバンキングのログインＩＤ等の情報とすることができる。登録された子供の口座情報は、ユーザデバイス１００に保存される。子供の口座情報の登録が完了すると、親にユーザデバイス１００を手渡すように指示する画面を表示してもよい。
【００３８】
ステップＳ５０８において、親はユーザデバイス１００を使用して、親のユーザ認証を行う。ユーザ認証は、親の口座情報に関連付けられた暗証番号またはパスワードの入力、生体認証等によって行うことができる。親のユーザ認証を行うことによって、インターネットバンキングにログインした状態となり、親の口座から子供の口座に対する振込処理が可能となる。
【００３９】
ステップＳ５０９において、子供はユーザデバイス１００を使用して、子供のユーザ認証を行う。ユーザ認証は、子供の口座情報に関連付けられた暗証番号またはパスワードの入力、生体認証等によって行うことができる。子供のユーザ認証を行うことによって、インターネットバンキングにログインした状態となり、子供の口座残高、使用履歴等を照会することが可能となる。ステップＳ５０９が完了した時点で、同一のユーザデバイス１００のアプリケーションにおいて、親と子供の両方がユーザ認証を行った状態となる。
【００４０】
ステップＳ５１０において、親はユーザデバイス１００を使用して、お小遣いによる資金移動処理を行う。お小遣いによる資金移動画面は、金額の入力、資金移動先の確認等の画面が含まれてもよい。資金移動処理はまた、画面に表示された硬貨・紙幣のイメージをフリック操作により資金移動処理が行われるＧＵＩとしてもよい。資金移動処理が行われると、ユーザデバイス１００は、親のログイン情報を使用して、親の口座から子供の口座に対する振込指示を銀行システム１２０に送信する。銀行システム１２０は、受信した振込指示に基づいて従来から広く実施されている振込処理を行う。
【００４１】
ステップＳ５１１において、ユーザデバイス１００は、子供のログイン情報を使用して、子供の口座残高の照会指示を銀行システム１２０に対して行う。ユーザデバイス１００は、銀行システム１２０から取得した子供の口座残高を貯金箱１１０に送信する。貯金箱１１０は、ユーザデバイス１００から受信した子供の口座残高を表示部１１２によって表示する。ステップＳ５１０およびステップＳ５１１を子供に見せながら行うことで、子供はお金の移動を視覚的に確認できる。
【００４２】
このようにすることで、家族は子供とのコミュニケーションを介して、データ化されたお金を使用してお小遣いを与えることができる。また、低年齢の子供がデータ化された資金の移動を容易に理解することができる。さらに、家族は少額の現金を持ち合わせていない場合であっても、子供にお小遣いを与えることができる。
【００４３】
本発明の実施においては、親および子供がアプリケーション上で同時にログインする状態となるため、アプリケーションの操作は、子供の口座からの振込処理等の各種取引に関して制限を加えてもよい。このようにすることで、アプリケーションの誤操作または不正操作を防止することができる。また、貯金箱１１０は銀行システム１２０との直接通信を行わず、ログイン情報等も保持しないことから、貯金箱１１０を紛失等しても子供のログイン情報等の流出リスクはない。
【００４４】
子供はまた、自身の口座に関連付けられたキャッシュカード等を使用することができる。キャッシュカードによる引き出し等によって、実際の口座残高と貯金箱１１０に表示される口座残高との間で差異が生じる。このような場合であっても、図５のステップＳ５１０において、子供の口座の残高照会のみを行うメニューを提供することで、貯金箱１１０は最新の子供の口座残高を表示することができる。
【００４５】
また、別の実施形態において、複数のユーザデバイス１００からお小遣いによる資金移動処理が行われた場合に貯金箱１１０が異なる処理を行ってもよい。例えば、父のユーザデバイス１００からお小遣いによる資金移動処理が行われる場合と、母のユーザデバイス１００からお小遣いによる資金移動処理が行われる場合とで、貯金箱１１０の表示内容を変更してもよく、貯金箱１１０の音声出力を変更してもよい。貯金箱１１０の表示内容は、例えば「父から」または「母から」等のメッセージを表示してもよい。お小遣いを与えたユーザの判定は、ユーザデバイス１００が、子供の口座残高とともに親のユーザＩＤまたは所定のコードで表現された子供との関係性を含めて貯金箱１１０に送信することによって行うことができる。
【００４６】
さらに、別の実施形態において、複数の子供がいる家庭の場合、ユーザデバイス１００のアプリケーションの画面でユーザ選択ができるようにしてもよい。例えば、ユーザデバイス１００は、図５のステップＳ５０９より前の任意のステップにおいて、子供の口座の追加登録が可能な画面、およびお小遣いによる資金移動先の子供の口座が選択できる画面を提供してもよい。図５のステップＳ５０９において、選択された子供に対するユーザ認証を行うため、ユーザデバイス１００が取得する子供の口座残高は選択された子供の口座残高となる。このようにすることで、複数の子供がいる家庭であっても、貯金箱１１０はそれぞれの子供の口座残高を表示することができる。
【００４７】
説明のため各処理を分けて記載したが、各処理を統合、連携させ、それぞれが有する処理の一部または全部を他方が行うように実装されてもよい。
【００４８】
以上、例示的な実施形態を参照しながら本発明の原理を説明したが、本発明の要旨を逸脱することなく、構成および細部において変更する様々な実施形態を実現可能である。すなわち、本発明は、例えば、システム、装置、方法、プログラムもしくは記憶媒体等としての実施態様を採用することが可能である。
【符号の説明】
【００４９】
１００  ユーザデバイス
１１０  貯金箱
１２０  銀行システム
１３０  ネットワーク
【図１】
2019175370.tif 000003
【図２】
2019175370.tif 000004
【図３】
2019175370.tif 000005
【図４】
2019175370.tif 000006
【図５】
2019175370.tif 000007
【手続補正書】
【提出日】平成31年2月25日(2019.2.25)
【手続補正１】
【補正対象書類名】特許請求の範囲
【補正対象項目名】全文
【補正方法】変更
【補正の内容】
【特許請求の範囲】
【請求項１】
第１のユーザおよび第２のユーザのそれぞれに対してユーザ認証を行い、
前記第１のユーザの口座から前記第２のユーザの口座に対して資金移動を行い、
前記第２のユーザの口座残高を取得し、
近距離無線通信を介して、前記第２のユーザの前記口座残高を貯金箱に送信する、
ユーザデバイスと、
前記第２のユーザの前記口座残高を表示する、前記貯金箱と、
を備え、
前記ユーザ認証は、前記第１のユーザの前記ユーザデバイスを使用して、前記第１のユーザと前記第２のユーザに対して連続して実施する、
システム。
【請求項２】
前記貯金箱はさらに、前記第１のユーザの前記ユーザデバイスが異なることに応じて、前記貯金箱の表示内容を変更する、請求項１に記載のシステム。
【請求項３】
ユーザデバイスによって実施される方法であって、
第１のユーザおよび第２のユーザのそれぞれに対してユーザ認証を行うことと、
前記第１のユーザの口座から前記第２のユーザの口座に対して資金移動を行うことと、
前記第２のユーザの口座残高を取得することと、
近距離無線通信を介して、前記第２のユーザの前記口座残高を貯金箱に送信することと、
を含み、
前記ユーザ認証は、前記第１のユーザの前記ユーザデバイスを使用して、前記第１のユーザと前記第２のユーザに対して連続して実施する、
方法。
【請求項４】
前記資金移動はフリック操作によって行われる、請求項３に記載の方法。
【請求項５】
前記第２のユーザの前記口座は取引が制限される、請求項３または４に記載の方法。
【請求項６】
コンピュータに、請求項３乃至５のいずれかに記載の方法を実行させるためのプログラム。